(57)【要約】【課題】高速で回転しても金焼けが発生せず、剛性も高い床仕上げ機用鏝部材及びそれを有する床仕上げ機を提供する。【解決手段】床仕上げ機１が有する鏝固定腕１５に対して固定可能な床仕上げ機用鏝部材２０であって、鏝固定腕１５に対し締結具２８により固定される金属棒状の取付具２１と、取付具２１に対して締結具２９により固定される鏝部２５とを有し、鏝部２５は、樹脂製の厚板によって形成される床仕上げ機用鏝部材２０である。【選択図】図２
2018100524.tif 000002
【特許請求の範囲】
【請求項１】
床仕上げ機が有する鏝固定腕に対して固定可能な床仕上げ機用鏝部材であって、
前記鏝固定腕に対し締結具により固定される金属棒状の取付具と、該取付具に対して締結具により固定される鏝部とを有し、該鏝部は、樹脂製の厚板によって形成されることを特徴とする床仕上げ機用鏝部材。
【請求項２】
前記鏝部は、前記取付具に対して当接する固定面と、該固定面の反対側に面し仕上げ対象床面に接触する均し面とを有し、
前記鏝部は、前記固定面から均し面まで貫通し前記締結具を挿通するネジ孔部を有し、該ネジ孔部の前記均し面側には、前記締結具の頭部を納める収納部が形成されていることを特徴とする請求項１に記載の床仕上げ機用鏝部材。
【請求項３】
前記取付具は角柱状であり、前記鏝部は、前記取付具の高さの１／２以上の厚みを有することを特徴とする請求項１または２に記載の床仕上げ機用鏝部材。
【請求項４】
前記鏝部は、平面視において四隅が丸みを帯びた形状を有する略四角形状を有することを特徴とする請求項１〜３のいずれか１項に記載の床仕上げ機用鏝部材。
【請求項５】
前記取付具は、表面が防錆加工されていることを特徴とする請求項１〜４のいずれか１項に記載の床仕上げ機用鏝部材。
【請求項６】
前記取付具は、前記鏝部が仕上げ対象床面に対して傾斜状に接触するように、前記鏝固定腕に対して固定されることを特徴とする請求項１〜５のいずれか１項に記載の床仕上げ機用鏝部材。
【請求項７】
前記鏝部は、ポリアセタールにより形成されていることを特徴とする請求項１〜６のいずれか１項に記載の床仕上げ機用鏝部材。
【請求項８】
動力により回転する回転部を備え、該回転部は鏝部材を固定する鏝固定腕を周方向に複数有する床仕上げ機であって、
請求項１〜７のいずれか１項に記載の床仕上げ機用鏝部材を前記鏝固定腕に対し締結具で固定した床仕上げ機。
【発明の詳細な説明】
【技術分野】
【０００１】
本発明は、コンクリートを打設した床面を平らに仕上げる際に用いられる床仕上げ機用鏝部材及びそれを有する床仕上げ機に関する。
【背景技術】
【０００２】
ビル等の建築物の施工において、床面は、コンクリートを打設して形成される。打設されたコンクリートは、床仕上げ機を用いて平坦に均すことで、平面化された床面となる。高品質な床面を形成するために、コンクリートの表面をより平坦に均すと共に、表層部が緻密で光沢を有するように鏡面仕上げがなされる。
【０００３】
床仕上げ機は、例えば特許文献１に示すように、下部に回転部を有し、その回転部に周方向複数の鏝部材が設けられており、回転部が回転することで、鏝部材がコンクリートの表面に接触しつつプロペラ状に回転して、コンクリートの表面を均すことができる。
【先行技術文献】
【特許文献】
【０００４】
【特許文献１】特開２０１５−１９６９９４号公報
【発明の概要】
【発明が解決しようとする課題】
【０００５】
床仕上げ機の鏝部材は、金属製の薄板で形成されている。床仕上げ機において鏡面仕上げを行うためには、鏝部材を高速に回転させる必要がある。この場合、鏝部材のコンクリートの表面に対する摩擦が大きくなるため、表面温度が高くなることで金焼けが発生することがある。金焼けが発生すると、床面の表面が黒ずんで美感を損ねる。また、床面の表面が剥離することもある。
【０００６】
また、鏝部材は、床仕上げ機に対して若干傾斜して取付けられ、鏝部材の表面の広い範囲がコンクリートの表面に対して接触できるようにしている。しかし、鏝部材を高速に回転させた場合、鏝部材が反ってしまうことにより、コンクリートの表面に対して適切な角度を維持できないことがある。
【０００７】
本発明は前記課題を鑑みてなされたものであり、高速で回転しても金焼けが発生せず、剛性も高い床仕上げ機用鏝部材及びそれを有する床仕上げ機を提供することを目的とする。
【課題を解決するための手段】
【０００８】
前記課題を解決するため、請求項１の発明に係る床仕上げ機用鏝部材は、床仕上げ機が有する鏝固定腕に対して固定可能な床仕上げ機用鏝部材であって、
前記鏝固定腕に対し締結具により固定される金属棒状の取付具と、該取付具に対して締結具により固定される鏝部とを有し、該鏝部は、樹脂製の厚板によって形成されることを特徴として構成されている。
【０００９】
請求項１に係る発明によれば、鏝部が樹脂材であるので、床仕上げ機により鏝部材を高速に回転させても、コンクリートの表面に金焼けを生じさせないようにすることができる。また、鏝部が厚板状の樹脂材であるので、高速回転中にも薄板金属材のようにたわむことがなく、鏝部のコンクリートの表面に対する角度を一定に維持することができる。さらには、取付具と鏝部とが別体であるので、使用に伴い鏝部が摩耗したら、鏝部のみを交換することができる。
【００１０】
また、請求項２の発明に係る床仕上げ機用鏝部材は、前記鏝部は、前記取付具に対して当接する固定面と、該固定面の反対側に面し仕上げ対象床面に接触する均し面とを有し、
前記鏝部は、前記固定面から均し面まで貫通し前記締結具を挿通するネジ孔部を有し、該ネジ孔部の前記均し面側には、前記締結具の頭部を納める収納部が形成されていることを特徴として構成されている。
【００１１】
請求項２に係る発明によれば、鏝部と取付具とを強固に固定すると共に、鏝部用締結具が鏝部の表面から突出しないようにして、コンクリートの表面を滑らかに均すことができる。
【００１２】
さらに、請求項３の発明に係る床仕上げ機用鏝部材は、前記取付具は角柱状であり、前記鏝部は、前記取付具の高さの１／２以上の厚みを有することを特徴として構成されている。
【００１３】
請求項３に係る発明によれば、取付具がある程度の重量を有し、さらに鏝部の重量も大きいので、両者の重量によって鏝部がコンクリートの表面に押し付けられ、鏝部によって安定的にコンクリートの表面を均して、より滑らかな床表面を形成することができる。
【００１４】
さらにまた、請求項４の発明に係る床仕上げ機用鏝部材は、前記鏝部は、平面視において四隅が丸みを帯びた形状を有する略四角形状を有することを特徴として構成されている。
【００１５】
請求項４に係る発明によれば、鏝部材が床仕上げ機に取付けられて回転した際に、鏝部の角部によりコンクリートの表面を乱すことを抑制することができる。
【００１６】
そして、請求項５の発明に係る床仕上げ機用鏝部材は、前記取付具は、表面が防錆加工されていることを特徴として構成されている。
【００１７】
請求項５に係る発明によれば、取付具の繰り返し使用するための耐久性を高くすることができる。
【００１８】
また、請求項６の発明に係る床仕上げ機用鏝部材は、前記取付具は、前記鏝部が仕上げ対象床面に対して傾斜状に接触するように、前記鏝固定腕に対して固定されることを特徴として構成されている。
【００１９】
請求項６に係る発明によれば、鏝部がコンクリートに対して面状に接触するので、コンクリートの表面を滑らかかつ緻密に均すことができる。
【００２０】
さらに、請求項７の発明に係る床仕上げ機用鏝部材は、前記鏝部は、ポリアセタールにより形成されていることを特徴として構成されている。
【００２１】
請求項７に係る発明によれば、機械的強度が高く、耐摩耗性も高い鏝部とすることができる。
【００２２】
さらにまた、請求項８の発明に係る床仕上げ機は、動力により回転する回転部を備え、該回転部は鏝部材を固定する鏝固定腕を周方向に複数有する床仕上げ機であって、
請求項１〜７のいずれか１項に記載の床仕上げ機用鏝部材を前記鏝固定腕に対し締結具で固定して構成されている。
【００２３】
請求項８に係る発明によれば、前記効果を有する鏝部材を有する床仕上げ機とすることができる。
【発明の効果】
【００２４】
本発明に係る床仕上げ機用鏝部材によれば、高速で回転しても金焼けが発生せず、剛性が高くてコンクリートの表面を滑らかかつ緻密に均すことができる。
【図面の簡単な説明】
【００２５】
【図１】本実施形態における床仕上げ機の全体斜視図である。
【図２】鏝部材の分解斜視図である。
【図３】鏝部材の正面図である。
【図４】床仕上げ機に取付けられた鏝部材がコンクリートの表面に接触した状態を表した正面図である。
【発明を実施するための形態】
【００２６】
本発明の実施形態について、図面に沿って詳細に説明する。図１には、本実施形態における床仕上げ機１の全体斜視図を示している。床仕上げ機１は、駆動源などを内部に有する本体部１０と、本体部１０の下部に設けられ、床面に対して直交する方向を軸方向とする回転部１１とを有している。本体部１０には、シャフト部１３を介してハンドル部１２が取付けられている。また、本体部１０の下部には、ガード部材１６が取付けられている。
【００２７】
本体部１０の内部の駆動源は、エンジンまたはモーターなどを用いることができる。駆動源からの動力は、減速機等を介して回転部１１に伝達される。回転部１１は、周方向に複数の鏝固定腕１５を有している。各鏝固定腕１５には、鏝部材２０が取付固定されている。回転部１１を回転させることにより、複数の鏝部材２０がプロペラ状に回転することができる。
【００２８】
鏝部材２０についてさらに説明する。図２には、鏝部材２０の分解斜視図を示している。鏝部材２０は、金属製の角柱棒状部材からなる取付具２１と、樹脂製の厚板状部材からなる鏝部２５との、二部材によって形成される。図２には、床仕上げ機１の回転部１１が有する鏝固定腕１５の先端部分も示されている。鏝固定腕１５は、金属製の長尺部材によって形成されており、鏝部材２０を固定するための固定腕用締結具２８を挿通させるためのネジ孔１５ａを、長手方向に沿って複数有している。
【００２９】
取付具２１は、長手方向に沿って複数の固定腕用ネジ孔２２と、鏝部用ネジ孔２３とを有している。固定腕用ネジ孔２２と鏝部用ネジ孔２３は、取付具２１を床仕上げ機１に対して取付ける向きにおいて、上下方向に伸びるように形成されている。固定腕用ネジ孔２２は、床仕上げ機１の鏝固定腕１５に形成されている複数のネジ孔１５ａの間隔と同じ間隔で配置されている。このため、鏝固定腕１５のネジ孔１５ａに挿通した固定腕用締結具２８を、固定腕用ネジ孔２２に対して螺合させて、鏝固定腕１５に対して取付具２１を固定することができる。
【００３０】
鏝部用ネジ孔２３は、固定腕用ネジ孔２２とは異なる間隔で取付具２１に配置されている。鏝部２５には、鏝部用ネジ孔２３と同じ間隔でネジ孔２６が形成されており、鏝部２５のネジ孔２６に底面側から挿通した鏝部用締結具２９を、鏝部２５のネジ孔２６に螺合させることができる。これにより、鏝部２５を取付具２１に対して固定することができる。
【００３１】
鏝部２５は、ポリアセタールによって形成されている。ただし、その他の樹脂材料により形成されていてもよい。鏝部２５がポリアセタールで形成されていることで、機械的強度が高く、耐摩耗性も高い鏝部材２０とすることができる。鏝部２５の四隅は、丸みを帯びた形状となっているので、床仕上げ機１に取付けられて回転した際に、鏝部２５の角部によりコンクリートの表面を乱すことを抑制することができる。
【００３２】
鏝部２５は、前述のように樹脂の厚板状に形成されているが、その厚みは取付具２１の高さの１／２以上である。取付具２１は金属製であって角柱状に形成されているため、ある程度の重量を有している。さらに、取付具２１の高さの１／２以上の厚みを有する厚板状の鏝部２５が取付具２１に固定されていることで、両者の重量によって鏝部２５がコンクリートの表面に押し付けられるため、鏝部２５によって安定的にコンクリートの表面を均して、より滑らかな床表面を形成することができる。
【００３３】
図３には、鏝部材２０の正面図を示している。この図に示すように、鏝部２５のネジ孔２６のうち、取付具２１に対して当接する面と反対側の面、すなわち、仕上げ対象床面であるコンクリートの表面を均す均し面２５ａの側には、鏝部用締結具２９の頭部２９ａを収納する収納部２６ａが形成されている。鏝部用締結具２９は、鏝部２５のネジ孔２６内に完全に埋設され、頭部２９ａの天面は、鏝部２５の表面と略面一状となる。これにより、鏝部２５と取付具２１とを強固に固定すると共に、鏝部用締結具２９が鏝部２５の表面から突出しないようにして、コンクリートの表面を滑らかに均すことができる。
【００３４】
鏝部材２０は、金属製の取付具２１と樹脂製の鏝部２５とが別体であり、両者が鏝部用締結具２９により締結固定され、取付具２１は床仕上げ機１に対して固定腕用締結具２８により締結固定されるので、鏝部２５の床仕上げ機１に対する固定強度が高く、鏝部２５が高速で回転した場合にぶれが発生しないようにすることができる。
【００３５】
また、鏝部材２０が取付具２１と鏝部２５とを別体としており、溶接やリベット留めで両者を一体化していないので、使用に伴い鏝部２５が摩耗したら、鏝部２５のみを交換することができる。取付具２１は、表面が防錆加工となるように塗装されており、繰り返し使用するための耐久性を有している。
【００３６】
図４には、床仕上げ機１に取付けられた鏝部材２０がコンクリートの表面に接触した状態を表した正面図を示している。鏝部材２０は、鏝部２５がコンクリートの表面に対して所定の傾斜角度をなすように床仕上げ機１に取付けられる。このため、回転部１１により回転する鏝部材２０の鏝部２５の均し面２５ａは、コンクリートの表面に対して傾斜状に接触する。
【００３７】
鏝部２５は、樹脂材によって形成されているので、床仕上げ機１により鏝部材２０を高速に回転させても、コンクリートの表面に金焼けを生じさせないようにすることができる。また、鏝部２５が厚板状の樹脂材であるので、高速回転中にも薄板金属材のようにたわむことがなく、鏝部２５のコンクリートの表面に対する角度を一定に維持することができる。また、鏝部２５が、締結具によって取付具２１を介し床仕上げ機１に対して強固に固定されていることも、鏝部２５のコンクリートの表面に対する角度を一定に維持することに寄与している。鏝部２５がコンクリートの表面に一定の傾斜角度で接触することにより、鏝部２５がコンクリートに対して面状に接触するので、コンクリートの表面を滑らかかつ緻密に均すことができる。
【００３８】
以上、本発明の実施形態について説明したが、本発明の適用は本実施形態には限られず、その技術的思想の範囲内において様々に適用されうるものである。
【符号の説明】
【００３９】
１    床仕上げ機
１０    本体部
１１    回転部
１２    ハンドル部
１３    シャフト部
１５    鏝固定腕
１５ａ  ネジ孔
１６    ガード部材
２０    鏝部材
２１    取付具
２２    固定腕用ネジ孔
２３    鏝部用ネジ孔
２５    鏝部
２６    ネジ孔
２６ａ  収納部
２８    固定腕用締結具
２９    鏝部用締結具
２９ａ  頭部
【図１】
2018100524.tif 000003
【図２】
2018100524.tif 000004
【図３】
2018100524.tif 000005
【図４】
2018100524.tif 000006
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
床仕上げ機が有する鏝固定腕に対して固定可能な床仕上げ機用鏝部材であって、
前記鏝固定腕に対し締結具により固定される金属角柱状の取付具と、該取付具に対して締結具により固定される鏝部とを有し、該鏝部は、樹脂製の厚板によって形成され、前記取付具には、前記鏝固定腕に対して固定するための締結具が一面側から挿通され、前記鏝部を固定するための締結具が前記一面側とは反対側から挿通されることを特徴とする床仕上げ機用鏝部材。
【請求項２】
前記鏝部は、前記取付具に対して当接する固定面と、該固定面の反対側に面し仕上げ対象床面に接触する均し面とを有し、
前記鏝部は、前記固定面から均し面まで貫通し前記締結具を挿通するネジ孔部を有し、該ネジ孔部の前記均し面側には、前記締結具の頭部を納める収納部が形成されていることを特徴とする請求項１に記載の床仕上げ機用鏝部材。
【請求項３】
前記鏝部は、前記取付具の高さの１／２以上の厚みを有することを特徴とする請求項１または２に記載の床仕上げ機用鏝部材。
【請求項４】
前記鏝部は、平面視において四隅が丸みを帯びた形状を有する略四角形状を有することを特徴とする請求項１〜３のいずれか１項に記載の床仕上げ機用鏝部材。
【請求項５】
前記取付具は、表面が防錆加工されていることを特徴とする請求項１〜４のいずれか１項に記載の床仕上げ機用鏝部材。
【請求項６】
前記取付具は、前記鏝部が仕上げ対象床面に対して傾斜状に接触するように、前記鏝固定腕に対して固定されることを特徴とする請求項１〜５のいずれか１項に記載の床仕上げ機用鏝部材。
【請求項７】
前記鏝部は、ポリアセタールにより形成されていることを特徴とする請求項１〜６のいずれか１項に記載の床仕上げ機用鏝部材。
【請求項８】
動力により回転する回転部を備え、該回転部は鏝部材を固定する鏝固定腕を周方向に複数有する床仕上げ機であって、
請求項１〜７のいずれか１項に記載の床仕上げ機用鏝部材を前記鏝固定腕に対し締結具で固定した床仕上げ機。
【手続補正２】
【補正対象書類名】明細書
【補正対象項目名】０００８
【補正方法】変更
【補正の内容】
【０００８】
前記課題を解決するため、請求項１の発明に係る床仕上げ機用鏝部材は、床仕上げ機が有する鏝固定腕に対して固定可能な床仕上げ機用鏝部材であって、
前記鏝固定腕に対し締結具により固定される金属角柱状の取付具と、該取付具に対して締結具により固定される鏝部とを有し、該鏝部は、樹脂製の厚板によって形成され、前記取付具には、前記鏝固定腕に対して固定するための締結具が一面側から挿通され、前記鏝部を固定するための締結具が前記一面側とは反対側から挿通されることを特徴として構成されている。
【手続補正３】
【補正対象書類名】明細書
【補正対象項目名】００１２
【補正方法】変更
【補正の内容】
【００１２】
さらに、請求項３の発明に係る床仕上げ機用鏝部材は、前記鏝部は、前記取付具の高さの１／２以上の厚みを有することを特徴として構成されている。